(57)【要約】【課題】筒体に挿通させたバルーンの一端から気体を供給しながら、バルーンの他端に挿入部を押し込むことによって、バルーンを損傷することなく、バルーンを簡単に装着することのできる内視鏡装置用バルーンの装着方法及び装着ジグを提供する。【解決手段】挿入部１２にバルーン４２を装着する作業は、まず、バルーン材１００を筒体１０２に挿通させる。次いで、バルーン材１００の連結部１００Ａにノズル１０４を連結し、このノズル１０４からエアを噴射しながら、挿入部１２を押し込む。次にエアの噴射を停止し、連結部１００Ａを切除してバルーン４２を形成する。次いでバルーン４２の端部４２Ａに糸１０６を巻回して挿入部１２に固定する。【選択図】      図３
2005185708.tif 000002
【特許請求の範囲】
【請求項１】
内視鏡の挿入部にバルーンを装着する内視鏡装置用バルーンの装着方法において、
前記挿入部の外径よりも大きい内径を有するとともに前記バルーンに対する引っ掛かり部を備えた筒体に、前記バルーンを挿通させ、
該バルーンの一端から気体を供給し、前記バルーンを前記筒体内で膨張させるとともに、前記バルーンの他端から前記挿入部を相対的に押し込むことを特徴とする内視鏡装置用バルーンの装着方法。
【請求項２】
内視鏡の挿入部にバルーンを装着する内視鏡装置用バルーンの装着ジグにおいて、
前記挿入部の外径よりも大きい内径を有するとともに、前記バルーンに対する引っ掛かり部を備えた筒体と、
前記バルーンの一端から気体を供給する気体供給手段と、
を備え、前記筒体に前記バルーンを挿通させ、前記気体供給手段で前記バルーンの一端から気体を供給し、前記バルーンを前記筒体内で膨張させるとともに、前記バルーンの他端から前記挿入部を相対的に押し込んで、前記バルーンを前記挿入部に装着することを特徴とする内視鏡装置用バルーンの装着ジグ。
【請求項３】
前記引っ掛かり部は、前記筒体に形成された孔であり、該孔に前記バルーンが入り込んで膨張することによって、前記バルーンが前記筒体に固定されることを特徴とする請求項２に記載の内視鏡装置用バルーンの装着ジグ。
【発明の詳細な説明】
【技術分野】
【０００１】
本発明は内視鏡装置用バルーンの装着方法及び装着ジグに係り、特に略筒状に形成されたバルーンを内視鏡の挿入部に装着するための装着方法及び装着ジグに関する。
【背景技術】
【０００２】
挿入部に膨縮自在なバルーンを装着した内視鏡がある。この内視鏡は、挿入部を体腔内の管腔内に挿入し、バルーンを膨張させることによって、挿入部を所望の位置に静止させることができる。これにより、観察視野を確保したり、処置具類による処置を確実に行うことができる。
【０００３】
挿入部に装着されるバルーンは略筒状に形成されている。このバルーンに挿入部を挿通させ、バルーンの両端部に糸を巻回することによって、バルーンが挿入部に固定される。特許文献１には、バルーンを筒体の内周面に吸着することによってバルーンの内径を拡げ、挿入部を挿通させる方法が記載されている。この特許文献１によれば、挿入部をバルーンに容易に挿通させることができる。
【特許文献１】特開平５−１５４８７号公報
【発明の開示】
【発明が解決しようとする課題】
【０００４】
しかしながら、特許文献１は、バルーンを筒体にセットする際に、径の小さいバルーンの端部を拡げながら、径の大きい筒体の端部に被せる必要があり、作業に手間がかかるという問題があった。
【０００５】
また、特許文献１は、拡径したバルーンに挿入部を挿通させる際に、挿入部がバルーンに接触し、バルーンが破れるおそれがあった。
【０００６】
本発明はこのような事情に鑑みてなされたもので、バルーンを損傷することなく、バルーンを挿入部に簡単に装着することのできる内視鏡装置用バルーンの装着方法及び装着ジグを提供することを目的とする。
【課題を解決するための手段】
【０００７】
請求項１に記載の発明は前記目的を達成するために、内視鏡の挿入部にバルーンを装着する内視鏡装置用バルーンの装着方法において、前記挿入部の外径よりも大きい内径を有するとともに前記バルーンに対する引っ掛かり部を備えた筒体に、前記バルーンを挿通させ、該バルーンの一端から気体を供給し、前記バルーンを前記筒体内で膨張させるとともに、前記バルーンの他端から前記挿入部を相対的に押し込むことを特徴としている。
【０００８】
請求項１に記載の発明によれば、バルーンを筒体に挿通させた状態でバルーンの一端から気体を供給することによって、バルーンは、膨張して筒体の内周面に張り付き、拡径した状態で保持される。したがって、この状態でバルーンの他端から挿入部を押し込むことによって、挿入部をバルーンに容易に挿入することができる。その際、バルーンは筒体の引っ掛かり部に引っ掛かっているので、筒体に対してずれることがない。
【０００９】
また、請求項１に記載の発明によれば、バルーンの一端から供給した気体が、バルーンの内周面と挿入部の外周面との隙間を流れるので、この気体の流れがクッションとなり、バルーンと挿入部との接触を防止する。
【００１０】
請求項２に記載の発明は前記目的を達成するために、内視鏡の挿入部にバルーンを装着する内視鏡装置用バルーンの装着ジグにおいて、前記挿入部の外径よりも大きい内径を有するとともに、前記バルーンに対する引っ掛かり部を備えた筒体と、前記バルーンの一端から気体を供給する気体供給手段と、を備え、前記筒体に前記バルーンを挿通させ、前記気体供給手段で前記バルーンの一端から気体を供給し、前記バルーンを前記筒体内で膨張させるとともに、前記バルーンの他端から前記挿入部を相対的に押し込んで、前記バルーンを前記挿入部に装着することを特徴としている。
【００１１】
請求項２に記載の発明によれば、気体供給手段でバルーンに気体を供給することにより、バルーンを膨張させることができる。そして、挿入部の外径よりも大きい内径を有する筒体の内部でバルーンを膨張させることによって、バルーンを拡径した状態で保持することができる。また、筒体には、引っ掛かり部が設けられているので、バルーンが筒体に対してずれることが防止される。よって、バルーンの他端から挿入部を押し込むことによって、バルーンを挿入部に容易に装着することができる。
【００１２】
請求項３に記載の発明は請求項２の発明において、前記引っ掛かり部は、前記筒体に形成された孔であり、該孔に前記バルーンが入り込んで膨張することによって、前記バルーンが前記筒体に固定されることを特徴としている。
【発明の効果】
【００１３】
本発明に係る内視鏡装置用バルーンの装着方法及び装着ジグによれば、バルーンの一端から気体を供給し、バルーンを膨張させて筒体の内周面に張り付かせながら、挿入部をバルーンに挿通させるようにしたので、バルーンを傷つけることなく、バルーンを挿入部に装着することができる。
【発明を実施するための最良の形態】
【００１４】
以下、添付図面に従って本発明に係る内視鏡装置用バルーンの装着方法及び装着ジグの好ましい実施形態について説明する。まず、内視鏡装置用バルーンが装着される内視鏡装置について説明する。
【００１５】
図１は、内視鏡装置の実施形態を示すシステム構成図である。図１に示すように内視鏡装置は主として、内視鏡１０、光源装置２０、プロセッサ３０、及びバルーン制御装置６６で構成される。
【００１６】
内視鏡１０は、体腔内に挿入される挿入部１２と、この挿入部１２に連設される手元操作部１４とを備え、手元操作部１４には、ユニバーサルケーブル１６が接続される。ユニバーサルケーブル１６の先端にはＬＧコネクタ１８が設けられ、このＬＧコネクタ１８が光源装置２０に連結される。また、ＬＧコネクタ１８にはケーブル２２を介して電気コネクタ２４が接続され、この電気コネクタ２４がプロセッサ３０に連結される。なお、ＬＧコネクタ１８には、エアや水を供給する送気・送水チューブ２６や、エアを吸引する吸引チューブ２８が接続される。
【００１７】
手元操作部１４には、送気・送水ボタン３２、吸引ボタン３４、シャッターボタン３６が並設されるとともに、一対のアングルノブ３８、３８、及び鉗子挿入部４０が設けられる。さらに、手元操作部１４の基端部には、後述するバルーン４２に流体を供給したり、バルーン４２から流体を吸引したりするための供給・吸引口４４が設けられる。以下、流体としてエアを用いた例で説明するが、他の流体、例えば不活性ガスや水を用いてもよい。
【００１８】
挿入部１２は、先端部４６、湾曲部４８、及び軟性部５０で構成され、湾曲部４８は、手元操作部１４に設けられた一対のアングルノブ３８、３８を回動することによって遠隔的に湾曲操作される。これにより、先端部４６の先端面４７を所望の方向に向けることができる。
【００１９】
図２に示すように、先端部４６の先端面４７には、観察光学系５２、照明光学系５４、５４、送気・送水ノズル５６、鉗子口５８等が設けられる。観察光学系５２の後方にはＣＣＤ（不図示）が配設されており、このＣＣＤを支持する基板には信号ケーブルが接続されている。信号ケーブルは図１の挿入部１２、手元操作部１４、ユニバーサルケーブル１６に挿通されて電気コネクタ２４まで延設され、プロセッサ３０に接続されている。したがって、観察光学系５２で取り込まれた観察像は、ＣＣＤの受光面に結像されて電気信号に変換され、そして、この電気信号が信号ケーブルを介してプロセッサ３０に出力され、映像信号に変換される。これにより、プロセッサ３０に接続されたモニタ６０に観察画像が表示される。
【００２０】
図２の照明光学系５４、５４の後方にはライトガイド（不図示）の出射端が配設されている。このライトガイドは、図１の挿入部１２、手元操作部１４、ユニバーサルケーブル１６に挿通され、入射端がＬＧコネクタ１８に配設されている。これにより、光源装置２０から照射された照明光がライトガイドを介して照明光学系５４、５４に伝送され、照明光学系５４、５４から照射される。
【００２１】
送気・送水ノズル５６（図２参照）は、送気・送水ボタン３２によって操作されるバルブ（不図示）に連通され、さらに送気・送水チューブ２６に連通される。したがって、送気・送水ボタン３２を操作することによって、送気・送水ノズル５６からエアまたは水が観察光学系５２に向けて噴射される。
【００２２】
鉗子口５８（図２参照）は、鉗子挿入部４０に連通されるとともに、吸引ボタン３４によって操作されるバルブ（不図示）に連通され、さらに吸引チューブ２８に連通される。したがって、吸引ボタン３４を操作することによって、鉗子口５８から病変部等が吸引され、鉗子挿入部４０から処置具を挿入することによって、この処置具が鉗子口５８から導出される。
【００２３】
図２に示すように、挿入部１２の外周面には、ゴム等の弾性体から成るバルーン４２が装着される。バルーン４２は、両端部が絞られた略筒状に形成されており、挿入部１２を挿通させて所望の位置に配置した後に、バルーン４２の両側の端部４２Ａ、４２Ａを挿入部１２に固定することによって装着される。バルーン４２の端部４２Ａの固定方法は、例えばバルーン４２の端部４２Ａに糸を巻回し、バルーン４２を挿入部１２の外周面に全周にわたって密着させることによって行われる。なお、糸を巻回する代わりに、固定リングをバルーン４２の端部４２Ａに嵌装してもよい。
【００２４】
挿入部１２には、バルーン４２が取り付けられる範囲内に通気孔６２が形成されている。この通気孔６２は、図１の手元操作部１４の供給・吸引口４４に連通される。供給・吸引口４４にはチューブ６４が接続され、このチューブ６４がバルーン制御装置６６に接続される。バルーン制御装置６６は、チューブ６４を介してバルーン４２にエアを供給したり、エアを吸引したりするとともに、その際のエア圧を制御する装置であり、前面に設けられた操作ボタン６８によって操作される。なお、バルーン４２はエアを供給することによって略球状に膨張し、エアを吸引することによって挿入部１２の外表面に張り付くようになっている。
【００２５】
次に上述したバルーン４２を挿入部１２に装着する方法について図３（Ａ）〜図３（Ｄ）に従って説明する。同図において、符号１００はバルーン材である。バルーン材１００は、略筒状に形成されるとともに一方の端部に連結部１００Ａを有しており、この連結口１００Ａを、後述する過程で切除することによってバルーン４２が形成される。すなわち、バルーン材１００は、バルーン４２の一方の端部４２Ａに連結部１００Ａを付け加えたものである。連結部１００Ａは、端部が肉厚になっており、後述のノズル１０４を嵌め込んで連結できるようになっている。
【００２６】
図３（Ａ）に示すように、まず、バルーン材１００を筒体１０２に挿通させる。筒体１０２は、その内径Ｄ２が、挿入部１２の外径Ｄ１よりも大きく形成されている。筒体１０２の中央部には、孔１０２Ｂ（引っ掛かり部に相当）が形成されており、膨張時のバルーン材１００がこの孔１０２Ｂに入り込んで筒体１０２に係合するようになっている。なお、孔１０２Ｂは、一つでもよいし、複数であってもよい。複数の孔１０２を形成する場合には、円周方向において等しい間隔で形成することが好ましい。
【００２７】
また、筒体１０２は、先端側（図中、右側）が縮径されて縮径部１０２Ａが形成されている。バルーン材１００を筒体１０２に挿通させる際は、バルーン材１００の連結部１００Ａが縮径部１０２Ａ側に配置されるようにする。
【００２８】
筒体１０２にバルーン材１００を挿通させた後、バルーン材１００の基端１００Ｂを挿入部１２の先端に被せる。バルーン材１００の基端１００Ｂは、挿入部１２の先端よりも径が僅かに小さいだけなので、少し拡げるだけで簡単に被せることができる。
【００２９】
次に、図３（Ｂ）に示す如く、バルーン材１００の連結部１００Ａにノズル１０４を嵌め込む。このノズル１０４は、気体の供給手段、例えばエアポンプや注射器等に接続されており、ノズル１０４から気体を噴射できるようになっている。なお、本実施例では、気体としてエアを供給する例で説明するが、不活性ガスなど、他の気体を供給してもよい。また、連結部１００Ａに、注射器等の気体供給手段を直接、連結してもよい。
【００３０】
ノズル１０４からエアを噴射すると、バルーン材１００は膨張し、筒体１０２の内周面に張り付いた状態になる。すなわち、バルーン材１００は、挿入部１２の外径Ｄ１よりも大きく拡径した状態に保持される。また、バルーン材１００は、その一部が孔１０２Ｂに入り込むようにして膨張する。これにより、バルーン材１００が筒体１０２に対してずれること、特に円周方向にずれることを防止できる。
【００３１】
次に、ノズル１０４からエアを噴射してバルーン材１００を膨張させた状態で、挿入部１２をバルーン材１００の内部に押し込む。その際、バルーン材１００は挿入部１２の外径Ｄ１よりも大きく拡径しているので、挿入部１２を容易に挿入することができる。また、ノズル１０４から噴射されたエアが、挿入部１２とバルーン材１００との隙間を通って外部に流れ出るので、このエアの流れがクッションとなって、挿入部１２とバルーン材１００が接触することを防止する。すなわち、挿入部１２とバルーン材１００の間隔が狭まると、エアの流れが反力となって離れる方向に力をうけるので、挿入部１２とバルーン材１００を接触させずに挿入することができる。よってバルーン材１００を傷つけることなく、挿入部１２をバルーン材１００に押し込むことができる。さらに、筒体１０２には、孔１０２Ｂや縮径部１０２Ａが形成されており、バルーン材１００が筒体１０２に対して軸方向や円周方向にずれないようになっているので、挿入部１２をバルーン材１００内に確実に押し込むことができる。なお、本実施例では、挿入部１２を押し込む例で説明したが、筒体１０２側を挿入部１２に被せるように動かしてもよい。
【００３２】
挿入部１２をバルーン材１００の所定の位置まで挿入した後、ノズル１０４からのエアの供給を停止し、ノズル１０４をバルーン材１００の連結部１０４から引き抜く。これにより、図３（Ｃ）に示すように、バルーン材１００は萎んだ状態で挿入部１２の表面に張り付く。したがって、筒体１０２のみを挿入部１２から容易に引き抜くことができる。
【００３３】
次に、バルーン材１００の連結部１００Ａを切除する。これにより、図３（Ｄ）に示すように、バルーン４２が形成される。次いで、このバルーン４２の端部４２Ａに糸１０６を巻回することによって、バルーン４２の端部４２Ａを挿入部１２に固定する。これにより、バルーン４２が挿入部１２に固定される。なお、糸１０６の巻回によるバルーン４２の固定は、連結口１００Ａを切除する前に行ってもよい。
【００３４】
以上説明したように本実施形態によれば、バルーン材１００の先端の連結部１００Ａからエアを供給しながら、バルーン材１００の基端１００Ｂから挿入部１２を押し込むようにしたので、バルーン材１００を傷つけることなく、挿入部１２をバルーン材１００に押し込むことができる。よって、バルーン４２を損傷することなく、バルーン４２の装着作業を容易に行うことができる。
【００３５】
また、本実施形態によれば、筒体１０２に孔１０２Ｂや縮径部１０２Ａを設けて、バルーン材１００を筒体１０２に引っ掛けるようにしたので、バルーン材１００が筒体１０２に対してずれることを防止できる。よって挿入部１２をバルーン材１００に容易に挿入することができる。
【００３６】
さらに、本実施形態によれば、バルーン材１００の先端部に肉厚の連結部１００Ａを形成したので、ノズル１０４をバルーン材１００に容易に連結することができる。よって、バルーン４２の装着作業を容易に行うことができる。
【００３７】
なお、上述した実施形態は、開口の周りを肉厚にして連結部１００Ａを形成したが、連結部１００Ａの形状はこれに限定するものではなく、ノズル１０４等の気体供給手段の形状に合わせて連結部１００Ａを形成するとよい。例えば、図４に示すように、針１１０を用いて気体を供給する場合には、開口のない栓状の連結部１００Ｃを設け、この連結部１００Ｃに針１１０を刺して気体を供給するとよい。
【００３８】
また、上述した実施形態は、バルーン材１００に対する筒体１０２の引っ掛かり部として、孔１０２Ｂや縮径部１０２Ａを設けたが、引っ掛かり部はこれに限定するものではなく、例えば図４に示すように、筒体１０２の内周面に凹部１０２Ｃを形成し、この凹部１０２Ｃにバルーン材１００を引っ掛けるようにしてもよい。
【図面の簡単な説明】
【００３９】
【図１】内視鏡装置を示すシステム構成図
【図２】図１の挿入部の先端部分を示す斜視図
【図３】本発明に係る内視鏡装置用バルーンの装着方法を示す説明図
【図４】図３と異なる連結部の形状を示す断面図
【符号の説明】
【００４０】
１０…内視鏡、１２…挿入部、１４…手元操作部、４２…バルーン、４６…先端部、４８…湾曲部、６０…モニタ、６６…バルーン制御装置、１００…バルーン材、１００Ａ…連結部、１０２…筒体、１０２Ａ…縮径部、１０２Ｂ…孔、１０４…ノズル、１０６…糸
【図１】
2005185708.tif 000003
【図２】
2005185708.tif 000004
【図３】
2005185708.tif 000005
【図４】
2005185708.tif 000006